(57)【要約】  本発明はユーザ装置と無線基地局とに関し、また、関連する方法であって、省電力の優先順位に従って、ユーザ装置と無線基地局との接続の間の、システムにおける省電力に基地局が作用することを可能とする方法に関する。方法は、ユーザ装置のユーザインタフェースを介して受信され、システムにおける省電力の優先順位と関連付けられているトリガを検出するステップ（２１０）を有する。方法は、また、無線基地局へ優先順位の表示を送信し、無線基地局が、ユーザ又はシステムに関連する様々なパラメータを設定することにより、優先順位に従って、接続の間のシステムにおける省電力に作用することを可能とするステップを有する。【選択図】  図２Ａ
2013519291.tif 000002
【特許請求の範囲】
【請求項１】
省電力の優先順位に従って、ユーザ装置と無線基地局との間の接続の間のシステムにおける前記省電力に、前記無線基地局が作用することを可能とする、無線通信システムにおける前記ユーザ装置のための方法であって、
前記ユーザ装置のユーザインタフェースを介して受信されると共に前記システムにおける前記省電力の前記優先順位に関連付けられるトリガを検出するステップ（２１０）と、
前記優先順位の表示を前記無線基地局へ送信し、前記無線基地局が、前記優先順位に従って、前記接続の間の前記システムにおける前記省電力に作用することを可能とするステップ（２２０）と、
を有することを特徴とする方法。
【請求項２】
前記表示は前記接続の初期アクセスの間に送信され、前記優先順位は、ランダムアクセスのプリアンブル、又はユーザ装置の能力のメッセージにおいて表示される、
ことを特徴とする請求項１に記載の方法。
【請求項３】
前記表示は前記接続の初期アクセスの後に送信され、前記優先順位は、媒体アクセス制御（ＭＡＣ）制御エレメント、スケジューリング要求、バッファ状態報告、又はサービス品質パラメータにおいて表示される、
ことを特徴とする請求項１に記載の方法。
【請求項４】
前記省電力のさらなる優先順位に関連付けられると共に前記ユーザ装置のユーザインタフェースを介して受信される追加のトリガを検出するステップ（２３０）と、
前記さらなる優先順位の表示を前記無線基地局に送信し、前記無線基地局が、前記さらなる優先順位に従って、前記接続の間の前記システムにおける前記省電力にさらに作用することを可能とするステップ（２４０）と、
をさらに有することを特徴とする請求項１から３のいずれか１項に記載の方法。
【請求項５】
前記優先順位は、少なくとも２つの所定の優先順位のうちの１つに対応する、
ことを特徴とする請求項１から４のいずれか１項に記載の方法。
【請求項６】
前記接続の間の前記システムにおける前記省電力に関する情報を前記無線基地局から受信するステップ（２５０）、
をさらに有することを特徴とする請求項１から５のいずれか１項に記載の方法。
【請求項７】
前記優先順位は、前記接続に関連する、スループット、遅延、優先度、及びパケットロス率の少なくともいずれかに関して、前記省電力の優先度を表示する、
ことを特徴とする請求項１から６のいずれか１項に記載の方法。
【請求項８】
省電力の優先順位に従って、ユーザ装置と無線基地局との間の接続の間のシステムにおける前記省電力に作用する、無線通信システムにおける前記無線基地局のための方法であって、
前記システムにおける前記省電力の前記優先順位の表示を取得するステップ（３１０）と、
前記表示された優先順位に従って、前記接続の間の前記システムにおける前記省電力に作用するパラメータを設定するステップ（３２０）と、
を有することを特徴とする方法。
【請求項９】
前記表示は、前記接続の初期アクセスの間に前記ユーザ装置から取得され、前記優先順位は、ランダムアクセスのプリアンブル、又はユーザ装置の能力のメッセージにおいて表示される、
ことを特徴とする請求項８に記載の方法。
【請求項１０】
前記表示は、前記接続の初期アクセスの後に前記ユーザ装置から取得され、前記優先順位は、媒体アクセス制御（ＭＡＣ）制御エレメント、スケジューリング要求、バッファ状態報告、又はサービス品質パラメータにおいて表示される、
ことを特徴とする請求項８に記載の方法。
【請求項１１】
前記表示は、前記接続の初期アクセスの間にネットワークノードから取得され、前記優先順位は、ユーザ装置の加入者パラメータにおいて表示される、
ことを特徴とする請求項８に記載の方法。
【請求項１２】
前記システムにおける前記省電力のさらなる優先順位の追加の表示を前記ユーザ装置から受信するステップ（３３０）と、
前記表示されたさらなる優先順位に従って、前記接続の間の前記システムにおける前記省電力に作用する前記パラメータを設定するステップ（３４０）と、
をさらに有することを特徴とする請求項８から１１のいずれか１項に記載の方法。
【請求項１３】
前記設定されたパラメータは、ユーザ装置に関するパラメータとシステムに関するパラメータとのうち少なくとも１つである、
ことを特徴とする請求項８から１２のいずれか１項に記載の方法。
【請求項１４】
前記優先順位は少なくとも２つの所定の優先順位のうち１つに対応する、
ことを特徴とする請求項８から１３のいずれか１項に記載の方法。
【請求項１５】
前記接続の間の前記システムにおける前記省電力に関する情報を前記ユーザ装置へ送信するステップ（３５０）、
をさらに有することを特徴とする請求項８から１４のいずれか１項に記載の方法。
【請求項１６】
前記優先順位は、前記接続に関連する、スループット、遅延、優先度、及びパケットロス率の少なくともいずれかに関して、前記省電力の優先度を表示する、
ことを特徴とする請求項８から１５のいずれか１項に記載の方法。
【請求項１７】
省電力の優先順位に従って、ユーザ装置（１５０）と無線基地局（１１０）との間の接続の間のシステムにおける前記省電力に、前記無線基地局（１１０）が作用することを可能とすると共に、無線通信システムにおいて使用されるように構成される前記ユーザ装置（１５０）であって、
前記ユーザ装置のユーザインタフェースを介して受信されると共に前記システムにおける前記省電力の前記優先順位に関連付けられるトリガを検出するように適合される検出部（１５１）と、
前記優先順位の表示を前記無線基地局（１１０）へ送信し、前記無線基地局が、前記優先順位に従って、前記接続の間の前記システムにおける前記省電力に作用することを可能とするように適合される送信器（１５２）と、
を有することを特徴とするユーザ装置。
【請求項１８】
前記送信器（１５２）は、前記接続の初期アクセスの間に前記表示を送信するように適合され、前記優先順位は、ランダムアクセスのプリアンブル、又はユーザ装置の能力のメッセージにおいて表示される、
ことを特徴とする請求項１７に記載のユーザ装置。
【請求項１９】
前記送信器（１５２）は、前記接続の初期アクセスの後に前記表示を送信するように適合され、前記優先順位は、媒体アクセス制御（ＭＡＣ）制御エレメント、スケジューリング要求、バッファ状態報告、又はサービス品質パラメータにおいて表示される、
ことを特徴とする請求項１７に記載のユーザ装置。
【請求項２０】
前記検出部（１５１）は、前記省電力のさらなる優先順位の追加のトリガであって、前記ユーザ装置のユーザインタフェースを介して受信される前記追加のトリガを検出するようにさらに適合され、
前記送信器（１５２）は、前記さらなる優先順位の表示を前記無線基地局に送信し、前記無線基地局が、前記さらなる優先順位に従って、前記接続の間の前記システムにおける前記省電力にさらに作用することを可能とするようにさらに適合される、
ことを特徴とする請求項１７から１９のいずれか１項に記載のユーザ装置。
【請求項２１】
前記優先順位は、少なくとも２つの所定の優先順位のうちの１つに対応する、
ことを特徴とする請求項１７から２０のいずれか１項に記載のユーザ装置。
【請求項２２】
前記接続の間の前記システムにおける前記省電力に関する情報を前記無線基地局から受信するように適合される受信器（１５３）、
をさらに有することを特徴とする請求項１７から２１のいずれか１項に記載のユーザ装置。
【請求項２３】
前記優先順位は、前記接続に関連する、スループット、遅延、優先度、及びパケットロス率の少なくともいずれかに関して、前記省電力の優先度を表示する、
ことを特徴とする請求項１７から２２のいずれか１項に記載のユーザ装置。
【請求項２４】
省電力の優先順位に従って、ユーザ装置（１５０）と無線基地局（１１０）との間の接続の間のシステムにおける前記省電力に作用すると共に、無線通信システムにおいて使用されるように構成される前記無線基地局（１１０）であって、
前記システムにおける前記省電力の前記優先順位の表示を取得するように適合される取得部（１１１）と、
前記表示された優先順位に従って、前記接続の間の前記システムにおける前記省電力に作用するパラメータを設定するように適合される設定部（１１２）と、
を有することを特徴とする無線基地局。
【請求項２５】
前記取得部（１１１）は、前記接続の初期アクセスの間に前記ユーザ装置から前記優先順位の前記表示を取得するように適合され、前記優先順位は、ランダムアクセスのプリアンブル、又はユーザ装置の能力のメッセージにおいて表示される、
ことを特徴とする請求項２４に記載の無線基地局。
【請求項２６】
前記取得部（１１１）は、前記接続の初期アクセスの後に前記ユーザ装置から前記表示を取得するように適合され、前記優先順位は、媒体アクセス制御（ＭＡＣ）制御エレメント、スケジューリング要求、バッファ状態報告、又はサービス品質パラメータにおいて表示される、
ことを特徴とする請求項２４に記載の無線基地局。
【請求項２７】
前記取得部（１１１）は、前記接続の初期アクセスの間にネットワークノードから前記表示を取得するように適合され、前記優先順位は、ユーザ装置の加入者パラメータにおいて表示される、
ことを特徴とする請求項２４に記載の無線基地局。
【請求項２８】
前記受信器（１１１）は、前記システムにおける前記省電力のさらなる優先順位の追加の表示を前記ユーザ装置から受信するようにさらに適合され、
前記設定部（１１２）は、前記表示されたさらなる優先順位に従って、前記接続の間の前記システムにおける前記省電力に作用する前記パラメータを設定するようにさらに適合される、
ことを特徴とする請求項２４から２７のいずれか１項に記載の無線基地局。
【請求項２９】
前記パラメータは、ユーザ装置に関するパラメータとシステムに関するパラメータとのうち少なくとも１つである、
ことを特徴とする請求項２４から２８のいずれか１項に記載の無線基地局。
【請求項３０】
前記優先順位は少なくとも２つの所定の優先順位のうち１つに対応する、
ことを特徴とする請求項２４から２９のいずれか１項に記載の無線基地局。
【請求項３１】
前記接続の間の前記システムにおける前記省電力に関する情報を前記ユーザ装置へ送信するように適合される送信器（１１３）、
をさらに有することを特徴とする請求項２４から３０のいずれか１項に記載の無線基地局。
【請求項３２】
前記優先順位は、前記接続に関連する、スループット、遅延、優先度、及びパケットロス率の少なくともいずれかに関して、前記省電力の優先度を表示する、
ことを特徴とする請求項２４から３１のいずれか１項に記載の無線基地局。
【請求項３３】
省電力の優先順位に従って、ユーザ装置と無線基地局との間の接続の間のシステムにおける前記省電力に作用する、無線通信システムにおける前記ユーザ装置のための方法であって、
前記ユーザ装置のユーザインタフェースを介して受信されると共に前記システムにおける前記省電力の前記優先順位に関連付けられるトリガを検出するステップ（２１０）と、
前記優先順位に従って、前記接続の間の前記システムにおける前記省電力に作用するユーザ装置に関するパラメータを設定するステップ（２６０）と、
を有することを特徴とする方法。
【請求項３４】
前記ユーザ装置に関するパラメータは、ユーザ装置の能力と、サポートされる無線アクセス技術に関するパラメータとの少なくとも１つである、
ことを特徴とする請求項３３に記載の方法。
【請求項３５】
前記優先順位は、前記接続に関連する、スループット、遅延、優先度、及びパケットロス率の少なくともいずれかに関して、前記省電力の優先度を表示する、
ことを特徴とする請求項３３又は３４に記載の方法。
【請求項３６】
省電力の優先順位に従って、ユーザ装置と無線基地局との間の接続の間のシステムにおける前記省電力に作用すると共に、無線通信システムにおいて使用されるように構成される前記ユーザ装置であって、
前記ユーザ装置のユーザインタフェースを介して受信されると共に前記システムにおける前記省電力の前記優先順位に関連付けられるトリガを検出するように適合される受信器（１５１）と、
前記優先順位に従って、前記接続の間の前記システムにおける前記省電力に作用するユーザ装置に関するパラメータを設定するように適合される設定部（１５４）と、
を有することを特徴とするユーザ装置。
【請求項３７】
前記ユーザ装置に関するパラメータは、ユーザ装置の能力と、サポートされる無線アクセス技術に関するパラメータとの少なくとも１つである、
ことを特徴とする請求項３６に記載のユーザ装置。
【請求項３８】
前記優先順位は、前記接続に関連する、スループット、遅延、優先度、及びパケットロス率の少なくともいずれかに関して、前記省電力の優先度を表示する、
ことを特徴とする請求項３６又は３７に記載のユーザ装置。
【発明の詳細な説明】
【技術分野】
【０００１】
本発明は、無線通信システムにおける省電力の優先順位付けに関する。より具体的には、本発明はユーザにより決定された省電力の優先順位に従って、ユーザ装置と無線基地局との接続の間の、システムにおける省電力に影響を与える無線基地局、ユーザ装置及び方法に関する。
【背景技術】
【０００２】
ユニバーサル移動通信システム（ＵＭＴＳ）は、ＧＳＭ（登録商標）の後に続くように設計された第３世代の移動通信技術の１つである。３ＧＰＰのロングタームエボリューション（ＬＴＥ）は、より高速なデータレート、効率の向上、低コスト化などのような性能の向上に関する将来の要求に対処するようにＵＭＴＳ標準を強化するための、第３世代パートナーシッププロジェクト（３ＧＰＰ）の中のプロジェクトである。ユニバーサル地上無線アクセスネットワーク（ＵＴＲＡＮ）は、ＵＭＴＳの無線アクセスネットワークであり、エボルブドＵＴＲＡＮ（Ｅ−ＵＴＲＡＮ）は、ＬＴＥシステムの無線アクセスネットワークである。Ｅ−ＵＴＲＡＮにおいては、ユーザ装置（ＵＥ）１５０は、図１Ａに示すように、共通してｅＮｏｄｅＢ（ｅＮＢ）と呼ばれる無線基地局（ＲＢＳ）１１０ａ〜ｃに無線で接続される。ｅＮＢ１１０ａ〜ｃは、Ｓ１インタフェースを介してコアネットワーク（ＣＮ）１９０へ直接接続される。しかしながら、ＵＴＲＡＮでは、無線基地局又はＮｏｄｅＢ（ＮＢ）は、接続しているＮＢを制御する無線ネットワーク制御装置（ＲＮＣ）を介して、ＣＮへ接続される。
【０００３】
無線アクセス技術の進化においては、キャパシティが連続的に増加する傾向にあるが、より強いスループット及び遅延に対する要求を満足するために、複雑性がより高くなる傾向もある。性能を向上させるために、信号が同時かつコヒーレントに、複数の基地局から／複数の基地局へ、送信／受信される、協調マルチポイント送信／受信（ＣＯＭＰ）と、送信器と受信器の両方が複数のアンテナを具備するときに性能が向上される多入力多出力（ＭＩＭＯ）は、高いスループットに到達するのに役立つＬＴＥにおける要素の２つの例である。しかしながら、これらの要素も、システムにおける電力消費を増加させうる。
【０００４】
通信システムにおいて、持続性及び電力消費が着目されることが増えている。３ＧＰＰのＬＴＥ技術においては、ほとんどの電力は、ｅＮＢが作動している時に消費される。したがって、配備されたｅＮＢに対する電力消費を削減する方法が重要である。従来技術においては、ユーザの加入の枠組みの範囲内で最良の可能なサービス品質（ＱｏＳ）を各ユーザに提供するように努め、無線リソース制御は最大のなし得るスループット、最低の起こり得る遅延及びパケットロスに優先順位を付ける。これは、多くの場合、データを伝送するのに厳密に必要なよりも多くの電力を費やすことを意味する。
【０００５】
例えばＥ−ＵＴＲＡＮの環境適合したユーザは、少なくともある状況において、又はある接続に対して、例えばそれがシステムにおける電力消費を低下させうるのであれば、低下したスループットや長い遅延を許容しうる。しかしながら、現在の３ＧＰＰ規格における問題は、電力消費とスループットとの間のトレードオフに違いを付ける能力がないことであり、全てのＵＥが同様の方法でスループットを優先することである。
【発明の概要】
【発明が解決しようとする課題】
【０００６】
本発明の目的は、上で概略が説明された問題や不利点のいくつかに対処すること、そして、ユーザ装置と無線基地局との間の接続の間に、無線通信システムにおける電力消費の優先順位付けを変化させることを可能とすることである。これは、優先順位付けに従って、接続の間のシステムの電力消費に作用することを可能とするだろう。この目的と、その他は、独立請求項による方法及び装置により、そして、従属請求項による実施形態により達成される。
【課題を解決するための手段】
【０００７】
本発明の第１の態様によれば、無線通信システムにおけるユーザ装置のための方法であって、省電力の優先順位に従って、ユーザ装置と無線基地局との間の接続の間に、システムにおける省電力に無線基地局が作用することを可能とする方法が提供される。本方法は、ユーザ装置のユーザインタフェースを介して受信されるトリガを検出するステップを含む。トリガはシステムにおける省電力の優先順位と関連付けられる。本方法は、また、優先順位の表示（indicator）を無線基地局へ送信し、優先順位に従って接続の間にシステムの省電力に基地局が作用することを可能とするステップを含む。
【０００８】
本発明の第２の態様によれば、無線通信システムにおける無線基地局のための方法であって、省電力の優先順位に従って、ユーザ装置と無線基地局との間の接続の間に、システムにおける省電力に作用する方法が提供される。本方法は、システムにおける省電力の優先順位の表示を取得するステップと、表示された優先順位に従って接続の間のシステムにおける省電力に作用するパラメータを設定するステップとを含む。
【０００９】
本発明の第３の態様によれば、無線通信システムにおいて使用されるように構成され、省電力の優先順位に従って、ユーザ装置と無線基地局との間の接続の間に、システムにおける省電力に無線基地局が作用することを可能とするように構成されるユーザ装置が提供される。本ユーザ装置は、ユーザ装置のユーザインタフェースを介して受信されるトリガを検出するように適合される検出部を備える。トリガは、システムにおける省電力の優先順位と関連付けられる。本ユーザ装置は、また、優先順位の表示を無線基地局へ送信し、優先順位に従って接続の間にシステムの省電力に基地局が作用することを可能とするように適合される送信器を備える。
【００１０】
本発明の第４の態様によれば、無線通信システムにおいて使用されるように構成され、省電力の優先順位に従って、ユーザ装置と無線基地局との間の接続の間に、システムにおける省電力に作用するように構成される無線基地局が提供される。本無線基地局は、システムにおける省電力の優先順位の表示を取得するように適合される取得部と、表示された優先順位に従って接続の間のシステムにおける省電力に作用するパラメータを設定するように適合される設定部とを備える。
【００１１】
本発明の第５の態様によれば、無線通信システムにおけるユーザ装置のための方法であって、省電力の優先順位に従って、ユーザ装置と無線基地局との間の接続の間に、システムにおける省電力に作用する方法が提供される。本方法は、ユーザ装置のユーザインタフェースを介して受信されるトリガを検出するステップを含む。トリガは、システムにおける省電力の優先順位と関連付けられる。本方法は、また、優先順位に従って接続の間のシステムにおける省電力に作用するユーザ装置に関連するパラメータを設定するステップを含む。
【００１２】
本発明の第６の態様によれば、無線通信システムにおいて使用されるように構成され、省電力の優先順位に従って、ユーザ装置と無線基地局との間の接続の間に、システムにおける省電力に作用するように構成されるユーザ装置が提供される。本ユーザ装置は、ユーザ装置のユーザインタフェースを介してトリガを受信するように適合される受信器を備える。トリガは、システムにおける省電力の優先順位と関連付けられる。本ユーザ装置は、また、優先順位に従って接続の間のシステムにおける省電力に作用する、ユーザ装置に関連するパラメータを設定するように適合される設定部を備える。
【発明の効果】
【００１３】
本発明の実施形態の利点は、特定の接続の間に接続の性能に関連してどのようにシステムにおける省電力の優先順位付けをすべきかをユーザが示し得ることである。これは、従来技術に置けるように電力消費に関係なくＱｏＳの優先順位付けをする代わりに、ユーザ装置が示したものに従って電力を節約する仕組みをネットワークが実行することを可能とするだろう。
【００１４】
さらに、本発明の実施形態の利点は、自由自在な方法で、例えばユーザ装置のユーザインタフェースを介して、無線通信システムにおけるユーザが、環境適合するように、能動的な選択を行うことが可能となり、それにより、ユーザのバッテリの消費のみより広い観点からシステムの電力消費の低減をサポートできることである。
【００１５】
本発明の実施形態のまたさらなる利点は、接続の間の実際の省電力に関してユーザ装置にフィードバックすることが可能となることである。
【００１６】
本発明の実施形態のさらなる利点は、ユーザが接続の間の接続容量に関連する省電力の１つの優先順位付けから始めて、必要に応じて同一の接続の間にその優先順位付けを変更することを可能とすることである。
【００１７】
本発明の実施形態のさらなる利点は、ＵＥ能力または無線アクセス技術の選択のような、システムワイドな電力消費に作用する動作を、ユーザ装置が制御することを可能とすることである。
【図面の簡単な説明】
【００１８】
【図１Ａ】本発明が実装されうる従来の無線通信システムの部分を概略的に示す図。
【図１Ｂ】従来技術による、無線ベアラが設定されると共にユーザプレーンデータを交換できる前の初期アクセスの間になされるステップを概略的に示す図。
【図２Ａ】本発明の実施形態に従って、ユーザ装置により実行される方法のフローチャート。
【図２Ｂ】本発明の実施形態に従って、ユーザ装置により実行される方法のフローチャート。
【図３Ａ】本発明の実施形態に従って、無線基地局により実行される方法のフローチャート。
【図３Ｂ】本発明の実施形態に従って、無線基地局により実行される方法のフローチャート。
【図４】本発明の実施形態に従う無線基地局及びユーザ装置を概略的に示す図。
【図５Ａ】本発明の実施形態に従ってユーザ装置により実行される方法のフローチャート。
【図５Ｂ】本発明の実施形態に従うユーザ装置を概略的に示す図。
【発明を実施するための形態】
【００１９】
以下では、一部の実施形態と添付の図面を参照して、本発明をより詳細に説明する。説明の目的であって限定のためでなく、本発明を完全に理解できるようにするために、特定のシナリオ、技術などのような、特定の詳細について説明する。しかしながら、当業者にとって、これらの特定の詳細から離れた他の実施形態において本発明が実施されうることは明らかであろう。
【００２０】
さらに、当業者であれば、ここで以下説明する機能及び手段は、プログラムされたマイクロプロセッサ又は汎用コンピュータと併せたソフトウェアと、特定用途向け集積回路（ＡＳＩＣ）とのいずれかを用いて実装されうることを十分に理解するだろう。また、本発明を方法及び装置の形式で説明するところ、本発明は、コンピュータプロセッサとそのプロセッサに接続されると共にここで開示される機能を実行しうる１つ以上のプログラムを用いて符号化されるメモリとを備えるシステムにおけると同様に、コンピュータプログラム媒体においても具現化されうることを理解するだろう。
【００２１】
ここでは、特定の例示のシナリオを参照して本発明を説明する。本発明の具体的な実施形態について、非制限的な一般的な文脈においてＥ−ＵＴＲＡＮに関して説明する。しかしながら、本発明とその典型的な実施形態は、ＵＴＲＡＮ、ＷｉＭａｘ（登録商標）、及びＧＳＭ（登録商標）のような他の種類の無線アクセスネットワークにも適用しうることに留意すべきである。
【００２２】
無線アクセスネットワークを通じて通信しているときに、ユーザが、接続スループットとネットワークにおける省電力とを交換することを意味しうる、環境適合するような能動的な選択をすることが可能であるのであれば、ユーザのバッテリ消費のみより広い観点からネットワークの消費電力を減らすのに役立つであろう。ネットワークにおいて、不連続受信（ＤＲＸ）のようなＵＥのバッテリ消費を減らすことができる機能はあるが、現在のところ、例えば、ＵＥのユーザがデフォルトのＤＲＸ設定が可能とするよりも多大な電力節約を優先したいときに、特定のＵＥについて異なるＤＲＸパラメータ設定を可能とする方法はない。例えばスループットに関して、省電力を優先するユーザを識別することは可能ではなく、したがって、ネットワークにおいて、スループットに対する省電力の様々な優先順位付けを許容する仕組みを実装することは全く役に立たない。
【００２３】
本発明の実施形態においては、無線通信システムにおける省電力についてのユーザの選択を考慮することができず、それにより、省電力と性能との間のトレードオフを許容することができないという問題に、スループット、遅延、パケットロス率及びＵＥの優先順位（すなわち、アドミッション制御及びＵＥ接続のためのスケジューリングに取り組むときの優先順位）のような、接続に対する他のＱｏＳパラメータに関して省電力のユーザの優先順位付けがユーザ装置（ＵＥ）からｅＮＢへシグナリングされる。これは、ｅＮＢが、ユーザの優先順位付けに沿ってパラメータ設定と無線リソース制御アルゴリズムを調整し、したがって、異なるＵＥ接続に対して異なる方法でシステムにおける電力消費に作用することを可能とする。
【００２４】
本発明の実施形態によれば、ｅＮＢは、ＵＥが接続の間のシステムにおける省電力をどのように優先順位付けしたいかの表示、すなわち、優先順位の表示を取得し、表示された優先順位に従って、接続の間のネットワークにおける省電力に作用するパラメータを設定する。省電力の優先順位付けは、２つのとり得る優先順位を用いて２値の設定であってもよい。１つの優先順位は、省電力の高い優先順位、したがってユーザの環境適合又は「グリーン」な選択を示してもよく、他方の優先順位は省電力が優先されず、したがって、「通常の」場合に対応することを示してもよい。代わりに、２つより多くの優先順位が定められてもよい。優先順位のそれぞれは、例えばスループットと遅延との少なくともいずれかに関して、省電力の特定の優先順位を示してもよく、ｅＮＢにより実行されるパラメータの異なる設定に対応してもよい。したがって、異なるｅＮＢのパラメータ設定は、関連する優先順位に従って異なる方法で省電力に作用してもよい。例えば、「通常の」場合よりいくらか高い省電力の優先順位に対応する第１の優先順位において、ＤＲＸパラメータは、ｅＮＢにより、容量または遅延を犠牲にして電力消費をいくらか削減するように設定されてもよい。それぞれが接続性能に関して省電力の優先順位が増えていく次に続く優先順位に対しては、スループット、遅延、ＵＥの優先順位、パケットロス率の少なくともいずれかのような性能を犠牲にして省電力を強化するために、追加のパラメータがｅＮＢにより設定されてもよい。ＵＥとネットワークとは共に、省電力と、ＵＥ及びネットワークが現在通信において構成している性能との間のトレードオフを表示するために、優先順位の基準を使用することができる。
【００２５】
システムにおける省電力に作用するｅＮＢにより設定されうるいくつかのパラメータがある。パラメータは、ＤＲＸ、ＱｏＳ、ページング、チャネル品質表示（ＣＱＩ）、上りリンク電力制御（ＵＬＰＣ）、専用スケジューリング要求（Ｄ−ＳＲ）、タイミング調整間隔（ＴＡＩ）、測定報告、物理上りリンク制御チャネル（ＰＵＣＣＨ）リソースなどの少なくともいずれかのようにＵＥに関してもよく、ＤＴＸパラメータ、スケジューリングパラメータ、及び、測定、（ＵＥが複数のキャリアを介して同時に受信と送信との少なくともいずれかを行い、データレートの多大な増加を引き起こすことを可能とする）キャリアアグリゲーション、ＣＯＭＰ、ＭＩＭＯの起動、又は追加の無線基地局、アンテナ、又は中継器／リピータの起動のための閾値のように、システムに関してもよく、ＵＥとシステムの両方に関してもよい。例えば、ｅＮＢが、接続に対するユーザに関するＱｏＳの設定を、ＵＥが表示した省電力の優先順位に従ってＱｏＳの要求が下げられるように変更した場合、システムが提供する必要がある総容量は減るだろう。同様に、これは、複雑なそして省電力の、アルゴリズム、基地局及び中継器を無効化することを可能とし、したがって、システムワイドな電力消費に作用するだろう。もう１つの起こり得ることは、アルゴリズムと、無線基地局及び中継器のようなネットワークの部分とを起動するためのシステムに関する閾値及びトリガを変更することである。起動のための閾値がより高くなると、接続性能を犠牲にした、より高い省電力も可能となるだろう。スケジューリングリソース間隔と、接続の遅延に直接作用するＤＴＸパラメータとのようなパラメータ、及び使用されるＲＡＴは、間接的にも遅延に作用しうる。使用される無線基地局、アンテナ及び中継器の量は、このような外部リソースの起動のための閾値によって決まり、ある程度スループットに作用するだろう。
【００２６】
上で既に説明したように、ｅＮＢは、ＵＥが接続の間のシステムにおける省電力をどのように優先順位付けしたいかの表示を取得する。この表示は、以下で説明する第１及び第２の実施形態におけるように、ＵＥから取得されうる。これらの実施形態においては、初期アクセスの間、又は初期アクセスの後でＵＥが接続されたモードにあるときに、優先順位の表示をｅＮＢへ送信するのはＵＥである。ＵＥは、ＵＥのユーザインタフェース（ＵＩ）を介して受信された、優先順位に関連するトリガを検出したときに、その表示を送信する。したがって、これらの実施形態においては、ユーザは、ＵＥのＵＩを通じて省電力の優先順位付けを容易にトリガすることができる。省電力のためのユーザの優先順位の選択は、例えば、ＵＩ上のボタンを押すことによりなされてもよく、そのボタンは、スループットのような接続性能よりも省電力に高く優先順位付けする「グリーン」オプションを表示してもよい。代わりに、メニューに基づくＵＩを介して、又は例えばダイヤルボタンを押す前に電話番号の最後に星印を付加することにより、ユーザの選択がなされてもよい。
【００２７】
本発明の第１の実施形態では、接続の初期アクセスの間に、ＵＥから表示を取得する。この実施形態におけるように、表示を早期に受信することの利点は、ネットワーク管理の効率的な決定を行うことができることである。図１Ｂは、ユーザがアイドルモードにおり、接続状態になりたいときにユーザが初期化する初期アクセス手順の様々なステップを示している。本ステップは、ランダムアクセス、認証、及びＵＥ能力の転送を含み、データ無線ベアラの設定、ＤＲＢ、及びＵＥについてアイドルから接続モードへの変更がそれに続く。
【００２８】
この第１の実施形態において、すなわち、初期アクセスの間に、ＵＥがｅＮＢへ省電力の優先順位の表示を送信するための２つの選択肢がある。
【００２９】
１．ランダムアクセス（ＲＡ）を実行しているときに表示を送信してもよい。ＲＡは上りリンク制御手順としてＵＥがネットワークにアクセスすることを可能とする働きをする。初期アクセスの試行はネットワークがスケジューリングすることはできないため、ＲＡ手順は、本質的に衝突に基づく（contention based）。ＵＥは、あらゆるユーザデータの送信に先立って上りリンクの同期をとるために、ＲＡプリアンブルを送信する。したがって、１つの選択肢は特定のタイムスロット又は周波数又は符号リソースを優先順位の表示のために予約することでありうる。代わりに、ＲＡプリアンブルの数空間を用いてもよい。
【００３０】
２．初期アクセスにおいてＵＥ能力の転送の間に表示を送ってもよい。１つの選択肢は、省電力の優先順位のための新しいＵＥ能力を作ることである。そして、ＵＥ能力メッセージにおいて、ＵＥ能力をｅＮＢへ送信し、このようにして優先順位を表示してもよい。
【００３１】
本発明の第２の実施形態においては、初期アクセスの後、すなわち、ＵＥが接続モードにあり、ＤＲＢが設定されている時に、ＵＥから表示を取得してもよい。この実施形態の利点は、接続が既に設定されている時に、ユーザがその省電力の優先順位を変更することが可能となることである。この第２の実施形態においては、優先順位を表示する方法について４つの選択肢がある。
【００３２】
１．第１の選択肢は、ＵＥの優先順位を表示する、新しい媒体アクセス制御（ＭＡＣ）制御エレメント、すなわちＭＡＣヘッダにおける新しいエレメントを作ることである。ＭＡＣ制御エレメントにおいて、いくつかの符号の点を割り当てることができ、これは２つより多くの優先順位を許容するだろう。
【００３３】
２．第２の選択肢は、優先順位を表示するためのスケジューリング要求（ＳＲ）を用いることである。上りリンク伝送を開始したいＵＥは、まず、物理上りリンク制御チャネル（ＰＵＣＣＨ）上でＳＲを送信することにより上りリンクリソースを要求しなければならない。ｅＮＢは、ユーザに割り当てられるべきリソースブロックを選択し、スケジューリング許可（ＳＧ）を返すだろう。ＵＥはＳＧを受信すると、割り当てられた上りリンクリソース上で上りリンクデータ伝送を開始することができる。例えば、１つのスロットでのＳＲの送信は省電力の高い優先度を表示しうると共に、他のスロットにおけるＳＲの送信は省電力の優先度を表示しなくてもよいように、ＳＲ  ＰＵＣＣＨリソースについて、時分割を用いることが可能でありうる。例えば、４つの異なる省電力の優先順位が望まれる場合、４つのタイムスロットのそれぞれを、１つの特定の優先順位として判断されてもよい。したがって、ネットワーク割り当て後の第１のＰＵＣＣＨリソースは電力レベル０に対応し、次は電力レベル１に対応する、などが暗黙のうちに理解される。省電力を優先しないＵＥは、全てのタイムスロットで送ることができる。もう１つの解決法は、ＳＲのために２ビット予約することであり、そこでは１つの符号の点を省電力優先順位の表示のために予約することができよう。この代替案を用いると、２つのとり得る優先順位のみがあるため、省電力はオンまたはオフにのみ調整されることができる。
【００３４】
３．第３の選択肢は、望まれる優先順位を表示するためにバッファ状態報告（ＢＳＲ）を用いることである。バッファ状態報告は、ＵＥにより、ＵＥのバッファに蓄積された送信するためのデータの量をｅＮＢへ報告するために使用される。ｅＮＢは、これらの報告を、ＵＥへのリソースの割り当てと、異なるＵＥ間のリソース割り当ての優先順位付けをするのに使用する。上りリンクデータが送信のために利用可能となるときであって、バッファに既に存在するデータの優先度より高い優先度を有する論理チャネルグループ（ＬＣＧ）にこのデータが属する場合、又はＵＥバッファがこの新しいデータが送信に利用可能となる直前に空であった場合、ＵＥは通常のＢＳＲをトリガする。したがって、優先順位を表示する１つのとり得ることは、特定のＬＣＧを省電力の優先順位と結合させることである。この省電力の優先順位はＵＥにおいてトリガされ、したがって、データがこのＬＣＧに届いたことを表示するＢＳＲは、その対応する省電力の優先順位を表示するだろう。この実施形態は２つ以上の優先順位を許容する。
【００３５】
４．第４の選択肢は、ＱｏＳクラス表示（ＱＣＩ）のようなＱｏＳパラメータを省電力の優先順位を表示するのに使用することである。初期アクセスの後、ＵＥは無線ベアラが変更されるべきことを要求すると共に、他のＱｏＳ設定を使用することを提示してもよい。ＱＣＩ値のいくつかは予め定義されているが、いくつかの新しいＱＣＩ値を１つ又はいくつかの省電力順位を実装するために定義することができる。
【００３６】
ＧＳＭ（登録商標）システム又はＵＭＴＳに適用される本発明の実施形態において、無線リソース制御（ＲＲＣ）接続確立において、一時ブロックフロー確立において、又はパケットデータ制御（ＰＤＰ）コンテクストの起動において、優先順位を表示してもよい。
【００３７】
したがって、上述の第１の及び第２の実施形態においては、初期アクセスの間又は後であって、ＵＥが起こしたトリガをＵＥが受信したときに、表示はＵＥから取得され、又はむしろＵＥからｅＮＢへ送信される。また一方、ユーザは、初期設定で環境適合するように、そのＵＥについての省電力の申込みをするかを選択しうる。この実施形態の利点は、ユーザが各接続について、省電力の優先順位をトリガする必要がないだろうことである。したがって、本発明の第３の実施形態においては、ＵＥからに代えて、ネットワークにおけるノードから、その表示を取得してもよい。ユーザは、より多くまたはより少なくこの確約に縛りつけられ、ＵＥコンテクストは、ＵＥの省電力優先順位についての情報を提供しうる。したがって、ｅＮＢは、初期アクセスの間に、ＵＥからに代えて、ネットワークノードから消費電力の優先順位を表示するＵＥの加入者パラメータを取得する。
【００３８】
ネットワークの観点からは、アクティブに通信中に、あまりに頻繁に異なる優先順位の間で交互に切り替えることをユーザに許可しない方が良い場合がある。しかしながら、省電力についてのユーザの好みは時間と共に変化しうるように、ユーザは少なくとも転送、セッション又は接続といった粒度で省電力の優先順位を変更する可能性があるはずである。例えば、ミーティングに参加している間にできるだけ早く特定のドキュメントを取得することがユーザにとって欠かせないかもしれず、一方で、他の時点において後で使用するための同一のドキュメントのダウンロードは、省電力を支持してより長いダウンロード時間をユーザが許容することを可能とし得る。
【００３９】
したがって、本発明の１つの第４の実施形態においては、初期設定で高い省電力の優先度を支持する環境適合する申込みを伴うユーザを、上の第１の実施形態について説明したのと同様の仕組みを用いて（すなわち、ＲＡプリアンブル又はＵＥ能力を用いて表示を送信して）、初期アクセスにおいて低優先度に切り替えることができるかもしれない。代わりに、「通常の」環境適合しない申込みを伴うユーザは、初期アクセスの間に（上の第１の実施形態と同様に、ＲＡプリアンブル又はＵＥ能力を表示のために使用して）、第１の優先順位を表示しうるが、その後、上の第２の実施形態で説明したのと同様の仕組み（新しいＭＡＣ制御エレメント、ＳＲ、ＢＳＲ、又はＱｏＳパラメータ）を用いて、接続の間に、変更された優先順位を表示してもよい。上述の第４の実施形態の例においては、ＵＥは、例えば高い省電力の優先順位と関連する第１のトリガを検出してもよく、したがって、例えば初期アクセスの間にＲＡプリアンブルを用いて、ｅＮＢへ高い優先順位の表示を送信し、それに応じて、例えばより低いスループット及びより低い電力消費を可能とするＭＩＭＯを起動するための閾値を設定することにより、ｅＮＢが作動することを可能とするだろう。ＵＥは、続いて、同一の接続の間に、システムにおける省電力の別の優先順位、例えば省電力を優先しないことに関連する第２のトリガを検出してもよく、したがって、同一の接続の間に、電力消費に関わらず接続性能が優先される「通常の」モードに、システムが切り戻ることを可能とする、第２の表示をｅＮＢへ送信するだろう。ｅＮＢは、例えばスケジューリング要求において、この第２の優先順位の表示を受信し、したがって、低電力消費に代えて高いスループットを優先するために、例えばＭＩＭＯを起動するための閾値を再設定してもよい。
【００４０】
本発明のまた別の実施形態では、接続の間にどの程度の電力が節約されたかについての情報が、ｅＮＢからＵＥへ送信されてもよい。この実施形態の利点は、どの程度の電力が節約されたかをユーザに知ることが許されることである。呼の後のＳＭＳを通じた電力節約の推定値を伴う直接フィードバックがこの実施形態を実装する１つの方法である。別の方法は、週に１度又は月に１度報告をすること、又はユーザがその現在の電力節約を見ることができるように電話で利用可能な統計値を作ることである。
【００４１】
本発明のさらなる実施形態において、ＵＥは、優先順位に関連したトリガを受信したとき、すなわち、ユーザが消費電力を優先することのトリガをかけたときに、トリガに関連する優先順位に従って接続の間のシステムにおける省電力に作用するために、自らＵＥに関連するパラメータを設定してもよい。ＵＥが電力消費を減らすために使用しうる１つのパラメータはＵＥ能力である。ＵＥは、実際に準拠する以外のＬＴＥリリースに準拠すること（例えば、ＬＴＥリリース８がＬＴＥリリース１０よりも電力効率がよい場合、実際のＬＴＥリリース１０に代えてＬＴＥリリース８に準拠すること）を、実際のもの以外のＵＥ能力グループに属することを表示することにより、提示してもよい。ＵＥがネットワークにおける省電力を可能とするように設定しうる別のＵＥ能力パラメータは、サポートされるＲＡＴパラメータである。例えば、電力を消耗するＲＡＴを使用することを避けるために、特定のＲＡＴをサポートされるＲＡＴのリストから除いてもよい。
【００４２】
図２Ａは、本発明の実施形態に従って、ＵＥにより実行される方法のフローチャートである。本方法は、以下のステップを備える。
【００４３】
２１０：システムにおける省電力の優先順位に関連するトリガを検出する。トリガは、ＵＥのＵＩを介して受信され、例えば、ＵＥのユーザが、スループットのような接続性能よりも省電力を高く優先順位を付ける「グリーン」オプションを表す、ＵＩ上のボタンを押したときに生成されるトリガに対応してもよい。ユーザは、例えば、新しい接続の設定の前に省電力の新しい優先順位付けのトリガをかけてもよいが、それは接続の間になされてもよい。
【００４４】
２２０：優先順位の表示を無線基地局へ送信する。これは、無線基地局が、優先順位に従って、接続の間のシステムにおける省電力に作用することを可能とするために実行される。上述の第１の実施形態では、表示は、接続の初期アクセスの間に送信され、優先順位は、ＲＡプリアンブル又はＵＥ能力メッセージにおいて表示されてもよい。ユーザが、接続が設定される前に、又は接続が設定されると同時に、新しい優先順位をトリガしたときに、これを用いてもよい。上述の第２の実施形態では、表示は初期アクセスの後に送信され、優先順位は、新しいＭＡＣ制御エレメント、ＳＲリソース、ＢＳＲ、又はＱｏＳパラメータにおいて表示されてもよい。この選択肢は、ユーザが接続の間に新しい優先順位付けをトリガしたときに用いられる。
【００４５】
図２Ｂは、本発明の実施形態に従って、ＵＥにより実行される方法のフローチャートであり、本方法は、図２Ａを参照して説明したステップ２１０及び２２０に加えて、以下のステップを備える。
【００４６】
２３０：ステップ２１０でトリガされた先の優先順とは異なる、システムの省電力の優先順位と関連する追加のトリガを検出する。追加のトリガもまたＵＥのＵＩを介して受信される。
【００４７】
２４０：無線基地局が新しい優先順位に従って省電力に作用するための、新しい優先順位の表示を無線基地局へ送信する。この実施形態においては、ユーザは、例えばステップ２１０において接続の設定時にトリガされる第１の優先順位から始めてもよい。接続の間の後の段階において、ユーザは、例えばスループットを犠牲にしてより環境適合するために省電力の優先順位を強化させることを望む、又は、例えば突然により良好なスループットが必要となったため、省電力の優先順位をより低く下げることを望む。
【００４８】
２５０：ＵＥは、接続の間にシステムにおいてどの程度の電力が節約されたかに関するフィードバック情報を無線基地局から受信してもよい。
【００４９】
優先順位の量は、２つ又は２つより多くてもよい。いずれの場合も、第１の順位は省電力が優先されるべきでないこと、そして接続が「通常の」方法で処理されるべきであることを示し、したがって、電力消費に関わらず接続性能が優先されることを意味する、「優先しない（no priority）」順位である。次の順位は、「高い優先（high priority）」順位であってもよく、又は、上述のように接続スループット、遅延、優先度、及びパケットロス率の少なくともいずれかのような接続性能に関連する様々な省電力の順位を表示するいくつかの優先順位があってもよい。
【００５０】
図３Ａは、本発明の実施形態に従ってｅＮＢにより実行される方法のフローチャートである。図３Ａは以下のステップを含む。
【００５１】
３１０：接続の間のシステムにおける省電力の優先順位の表示を取得する。上述の第１及び第２の実施形態においては、ｅＮＢへ表示を送信するのはＵＥである。これは、上の図２Ａを参照しても説明した。上述の第３の実施形態では、ｅＮＢはＵＥについての加入者データを記憶するネットワークノードから表示を取得する。ユーザがそのＵＥについて省電力の申込みを選択しているとき、優先順位は初期アクセスの間にｅＮＢにより取得される加入者パラメータにおいて表示される。
【００５２】
３２０：表示された優先順位に従って接続の間のシステム置ける省電力に作用するパラメータを設定する。２つより多くの優先順位がある場合は、それぞれの優先順位が、特定のパラメータの設定と結び付けられてもよい。パラメータは、ＤＲＸパラメータ及びＱｏＳパラメータのようにＵＥに関してもよく、ＤＴＸパラメータ、スケジューリングパラメータ、及び、測定、キャリアアグリゲーション、ＣＯＭＰ、ＭＩＭＯの起動のための、又は追加の無線基地局、アンテナ、又は中継器／リピータの起動のための閾値のようにシステムに関してもよく、ＵＥとシステムとに関してもよい。
【００５３】
図３Ｂは、本発明の別の実施形態によるネットワークノードの方法を概略的に示している。この実施形態においては、本方法は、図３Ａを参照して説明したステップ３１０及び３２０に加えて以下のステップを有する。
【００５４】
３３０：接続の間のシステムにおける省電力のさらなる優先順位の追加の表示を、ＵＥから受信する。ユーザは、新しい優先順位へ変更したいことをトリガしている。このステップは、上述のステップ２４０に対応する。ステップ２４０で説明したのと異なる典型的な実施形態では、ｅＮＢは、ネットワークノードから第１の優先順位の第１の表示を取得してもよく、これは、ＵＥ加入がこのＵＥについての「デフォルトの」優先順位を決定する場合である。ユーザは、その後、例えば、突然により良好なスループットが必要となったため、呼の間に省電力を優先したくないことをトリガしてもよく、その結果、ｅＮＢは、新しい優先順位の第２の表示をＵＥから受信するだろう。
【００５５】
３４０：表示された新しい優先順位に従って接続の間のシステムにおける省電力に作用するパラメータを設定する。ステップ３２０において上述したような、とり得るパラメータの同様のリストを設定してもよい。
【００５６】
３５０：接続の間のシステムにおける省電力についての情報をＵＥへ送信する。このステップは、上述の、ＵＥにおけるステップ２５０に対応する。
【００５７】
図４に概略的に示され、本発明の実施形態によるものは、ｅＮＢ１１０及びＵＥ１５０である。ＵＥ１５０は、ＵＥのＵＩを介して受信されるトリガを検出するように適合される検出部１５１を備える。トリガは、ユーザが望む、システムにおける省電力の優先順位と関連付けられている。ＵＥ１５０は、また、ｅＮＢ１１０へ優先順位の表示を送信するように適合される送信器１５２を備える。表示のｅＮＢへの送信は、ｅＮＢが優先順位に従って接続の間のシステムにおける省電力に作用することを可能とするだろう。送信器１５２は、上述のように、初期アクセスの間に、又は初期アクセスの後に、表示をｅＮＢへ送信するように適合されてもよい。検出部１５１は、省電力の新しい優先順位の追加のトリガであって、ＵＥのＵＩを介して受信される追加のトリガを検出するようにさらに適合されてもよい。その場合、送信器１５２は、さらなる優先順位の表示を無線基地局へ送信するようにさらに適合され、これは無線基地局が、さらなる優先順位に従って、接続の間のシステムにおける省電力にさらに作用することを可能とする。このように、この実施形態においては、ユーザは、接続の間にその優先順位付けを変更してもよい。さらに、ＵＥは、接続の間のシステムにおける省電力に関する情報を無線基地局から受信するように適合される受信器１５３を備えてもよい。
【００５８】
ｅＮＢ１５０は、接続の間のシステムにおける省電力の優先順位の表示を取得するように適合される取得部１１１と、表示された優先順位に従って接続の間のシステムにおける省電力に作用するパラメータを設定するように適合される設定部１１２とを備える。表示は、上の第１及び第２の実施形態で説明したように、初期アクセスの間に、又は、初期アクセスの後にＵＥから受信されてもよい。初期アクセスの間に、ＲＡプリアンブル又はＵＥ能力メッセージを、優先順位を表示するのに用いてもよい。初期アクセスの後には、ＭＡＣ制御エレメント、スケジューリング要求、バッファ状態報告、又はサービス品質パラメータにおいて優先順位が表示されてもよい。第３の実施形態で上述したように、表示は、初期アクセスの間にネットワークノードから取得されてもよい。受信器１１１は、接続の間のシステムにおける省電力の別の優先順位の追加の表示をＵＥから受信するようにさらに適合されてもよい。この場合、設定部１１２は、表示されたさらなる優先順位に従って、接続の間のシステムにおける消費電力に作用するパラメータを設定するようにさらに適合される。ｅＮＢが設定するパラメータは、ＵＥに関するパラメータと、システムに関するパラメータとの少なくともいずれかであってもよい。ＵＥに関するパラメータは、ＤＲＸパラメータ及びＱｏＳパラメータのうちの１つ以上であってもよい。システムに関するパラメータは、ＤＴＸパラメータ、又はアルゴリズム、追加の無線基地局、アンテナ又は中継を起動するための閾値のうち、１つ以上であってもよい。ｅＮＢ１１０は、また、接続の間のシステムにおける省電力に関する情報をＵＥへ送信するように適合される送信器１１３を備えてもよい。
【００５９】
図５Ａは、本発明の実施形態に従って、ＵＥにより実行される方法のフローチャートである。本方法は、以下のステップを備える。
【００６０】
２１０：システムにおける省電力の優先順位に関連付けられたトリガであって、ＵＥのＵＩを介して受信されたトリガを検出する。これは、図２Ａを参照して上述したのと同一のステップである。
【００６１】
２６０：優先順位に従って、接続の間のシステムにおける省電力に作用する、ＵＥに関するパラメータを設定する。この実施形態においては、ＵＥは、自ら、システムにおける省電力に作用するだろうパラメータを設定してもよい。ＵＥに関するパラメータは、サポートされる無線アクセス技術のような、ＵＥ能力パラメータであってもよい。
【００６２】
図５Ｂは、本発明の実施形態によるＵＥを概略的に示す。ＵＥ１５０は、図３Ａを参照して上述したように、ＵＥのＵＩを介してトリガを受信するように適合される受信器１５１を備える。ＵＥ１５０は、また、優先順位に従って、接続の間のシステムにおける省電力に作用する、ＵＥに関するパラメータを設定するように適合される設定部１５４を備える。
【００６３】
上で言及した、そして説明した実施形態は、例としてのみ与えられ、本発明を制限するべきものではない。添付の特許請求の範囲に記載されるような本発明の範囲の中に、他の解決法、使用法、目的及び機能があることは当業者には明らかであるはずである。
【００６４】
（略語）
３ＧＰＰ        第３世代パートナーシッププロジェクト
ＢＳＲ          バッファ状態報告
ＣＮ            コアネットワーク
ＣＯＭＰ        協調マルチポイント（送信／受信）
ＤＲＢ          データ無線ベアラ
ＤＲＸ          不連続受信
ＤＴＸ          不連続送信
ｅＮＢ          エボルブドノードＢ
Ｅ−ＵＴＲＡＮ  エボルブドＵＴＲＡＮ
ＬＣＨ          論理チャネル
ＬＣＧ          論理チャネルグルーピング
ＬＴＥ          ロング・ターム・エボリューション
ＭＡＣ          媒体アクセス制御
ＭＩＭＯ        多入力多出力
ＭＭＥ          移動管理エンティティ
ＮＡＳ          非アクセス層
ＮＢ            ノードＢ
ＰＵＣＣＨ      物理上りリンク制御チャネル
ＱＣＩ          ＱｏＳクラス表示
ＱｏＳ          サービス品質
ＲＡ            ランダムアクセス
ＲＡＮ          無線アクセスネットワーク
ＲＡＴ          無線アクセス技術
ＲＢＳ          無線基地局
ＲＮＣ          無線ネットワーク制御装置
ＳＧ            スケジューリング許可
ＳＲ            スケジューリング要求
ＵＥ            ユーザ装置
ＵＭＴＳ        ユニバーサル移動通信システム
ＵＴＲＡＮ      ユニバーサル地上ＲＡＮ
【図１Ａ】
2013519291.tif 000003
【図１Ｂ】
2013519291.tif 000004
【図２Ａ】
2013519291.tif 000005
【図２Ｂ】
2013519291.tif 000006
【図３Ａ】
2013519291.tif 000007
【図３Ｂ】
2013519291.tif 000008
【図４】
2013519291.tif 000009
【図５Ａ】
2013519291.tif 000010
【図５Ｂ】
2013519291.tif 000011
【国際調査報告】
2013519291.tif 000012
2013519291.tif 000013